(57)【要約】      （修正有）【課題】焼付き低減のための画像移動によって、焼付きを適切に分散させて目立ちにくくする。【解決手段】ディスプレイ装置２０は、第１及び第２の波形発生部３及び４と、画像移動信号処理部１とを備える。第１及び第２の波形発生部３及び４は、入力された同期信号ＳＳに基づいて、第１の所定周期を有する第１の波形信号ＣＳ１と、第１の波形信号ＣＳ１とは異なる第２の所定周期を有する第２の波形信号とを合成した合成波形信号ＣＳ２を出力する。画像移動信号処理部１は、合成波形信号ＣＳ２に基づいて、入力画像信号ＰＳＩＮに対してその画面上での表示位置を水平移動させて焼付きが適切に分散されるよう処理を行った後、出力映像信号ＰＳＯＵＴとしてＥＬディスプレイ５に出力する。【選択図】図１
2007298863.tif 000002
【特許請求の範囲】
【請求項１】
表示部で表示するための出力映像信号を生成する映像信号出力装置であって、
入力された同期信号に基づいて、第１の所定周期を有する第１の波形信号と、前記第１の波形信号とは異なる第２の所定周期を有する第２の波形信号とを合成した合成波形信号を出力する波形発生部と、
前記合成波形信号に基づいて、入力画像信号に対してその画面上での表示位置を移動させる処理を行った後、出力映像信号として出力する画像移動信号処理部と、を備えたことを特徴とする映像信号出力装置。
【請求項２】
前記波形発生部は、
前記同期信号と第１の所定分周比とに応じて第１の基準パルスを出力する第１の分周回路と、前記第１の基準パルス毎に所定範囲内でカウントを増減し、そのカウント値を信号レベルとする、前記第１の所定周期を有する前記第１の波形信号を出力するアップダウンカウンタとを備えた第１の波形発生部と、
前記同期信号と第２の所定分周比とに応じて第２の基準パルスを出力する第２の分周回路と、前記第２の基準パルス毎に、所定範囲内でカウントを増減し、そのカウント値を信号レベルとする、前記第２の所定周期を有する前記第２の波形信号を生成するとともに、前記第２の波形信号と前記第１の波形信号とを合成した前記合成波形信号を出力するアップダウンカウンタとを備えた第２の波形発生部と、を備えたことを特徴とする請求項１記載の映像信号出力装置。
【請求項３】
前記画像移動信号処理部は、前記入力画像信号を補間処理し、画素単位より小さい位相単位で入力画像信号を移動するよう処理することを特徴とする請求項１又は２記載の映像信号出力装置。
【請求項４】
表示部で表示するための出力映像信号を生成する映像信号出力装置であって、
入力された同期信号に基づいて、第３の所定周期を有する第３の波形信号と、前記第３の波形信号とは異なる第４の所定周期を有する第４の波形信号とを出力する波形発生部と、
前記第３の波形信号に基づいて、入力画像信号に対してその画面上での表示位置を水平方向に移動させる処理を行って出力する画像水平移動信号処理部と、
前記第４の波形信号に基づいて、入力画像信号に対してその画面上での表示位置を垂直方向に移動させる処理を行って出力する画像垂直移動信号処理部と、を備えたことを特徴とする映像信号出力装置。
【請求項５】
前記第３の波形信号の周期を１としたとき、前記第４の波形信号の周期が非整数であることを特徴とする請求項４記載の映像信号出力装置。
【請求項６】
前記第３の波形信号の周期と前記第４の波形信号の周期との比がＮ：Ｎ＋１（Ｎは整数）であることを特徴とする請求項４記載の映像信号出力装置。
【発明の詳細な説明】
【技術分野】
【０００１】
本発明は、例えばＥＬ（エレクトロ・ルミネッセンス）ディスプレイやＰＤＰ（プラズマ・ディスプレイ・パネル）等の映像信号出力装置に関する。
【背景技術】
【０００２】
近年、液晶表示装置に代わるフラットディスプレイとして、ＥＬ（エレクトロ・ルミネッセンス）ディスプレイが実用化されつつある。ＥＬディスプレイは、自己発光型の表示装置であるため、視野角が広く、応答速度が速いという利点がある。また、バックライトが不要であるため、薄型化及び軽量化が容易である。しかしながら、ＥＬディスプレイにおいては、発光時間の経過に伴ってＥＬ素子の発光特性が劣化し、同じ入力電流によって得られる輝度が徐々に低下する。このため、例えばディスプレイ上の一定位置に同一の表示画像が長時間表示される場合には、特定の画素の発光特性が著しく劣化し、焼付きと呼ばれる劣化の要因となる。
【０００３】
特許文献１に、表示部の焼付き現象を抑制すると共に、映像信号の違和感のない表示を行う従来例１に係る画像表示装置が開示されている。従来例１に係る画像表示装置は、映像信号の同期信号に基づいて時間計測部で時間を計測し、その値に基づいて表示位相調整部で同期信号の位相を調整し、表示部で表示する。その際、同期信号の位相を、位相を調整しない状態を中心として、時間と共に移相量が周期的に増減するように交互に逆方向に移相させるように調整する。それによって表示位置が時間によって積分され、焼付きが抑制されると共に視覚上違和感のない表示を行うものであった。
【０００４】
また、特許文献２に、画面の焼付きを防止するための画像の移動が視覚的に気になることを軽減する従来例２に係る画像信号の処理装置が開示されている。従来例２に係る画像信号の処理装置では、画像数変換部は、コントローラより供給される補間位置の情報に基づいて、水平方向及び垂直方向における補間位置の画素データを、画像信号Ｖａの画素データを用いて生成し、画素数変換された画像信号Ｖｂを得る。パネルドライバは、画面の焼付きを防止するために、コントローラから供給される表示位置情報に基づき、ＰＤＰにおける画像の表示位置を、水平方向および垂直方向に、所定の画素範囲で、所定時間毎に、１画素ずつ移動する。コントローラは、画像の表示位置が１画素分ずれる間に、補間位置の位相を、補間位置間を３６０゜として、３６０゜より小さな変化単位で、変化させる。一回の移動における画像の移動距離が画素間隔より短くでき、画像の移動が視覚的に気になることが軽減される。
【０００５】
【特許文献１】特開２００３−２７４３１５号公報。
【特許文献２】特開２００４−２６４３６６号公報。
【発明の開示】
【発明が解決しようとする課題】
【０００６】
しかしながら、上記従来例１に係る画像表示装置及び上記従来例２に係る画像信号の処理装置では、入力画像信号によっては、焼付きが適切に分散されず、焼付き低減効果が十分に得られない、という問題があった。
【０００７】
本発明の目的は以上の問題点を解決し、焼付き低減のための画像移動において、焼付きを適切に分散させて目立ちにくくする映像信号出力装置を提供することにある。
【課題を解決するための手段】
【０００８】
第１の発明に係る映像信号出力装置は、表示部で表示するための出力映像信号を生成する映像信号出力装置であって、入力された同期信号に基づいて、第１の所定周期を有する第１の波形信号と、前記第１の波形信号とは異なる第２の所定周期を有する第２の波形信号とを合成した合成波形信号を出力する波形発生部と、前記合成波形信号に基づいて、入力画像信号に対してその画面上での表示位置を移動させる処理を行った後、出力映像信号として出力する画像移動信号処理部と、を備えたことを特徴とする。
【０００９】
第２の発明に係る映像信号出力装置では、上記第１の発明に係る映像信号出力装置において、前記波形発生部は、前記同期信号と第１の所定分周比とに応じて第１の基準パルスを出力する第１の分周回路と、前記第１の基準パルス毎に所定範囲内でカウントを増減し、そのカウント値を信号レベルとする、前記第１の所定周期を有する前記第１の波形信号を出力するアップダウンカウンタとを備えた第１の波形発生部と、前記同期信号と第２の所定分周比とに応じて第２の基準パルスを出力する第２の分周回路と、前記第２の基準パルス毎に、所定範囲内でカウントを増減し、そのカウント値を信号レベルとする、前記第２の所定周期を有する前記第２の波形信号を生成するとともに、前記第２の波形信号と前記第１の波形信号とを合成した前記合成波形信号を出力するアップダウンカウンタとを備えた第２の波形発生部と、を備えたことを特徴とする。
【００１０】
第３の発明に係る映像信号出力装置では、上記第１又は第２の発明に係る映像信号出力装置において、前記画像移動信号処理部は、前記入力画像信号を補間処理し、画素単位より小さい位相単位で入力画像信号を移動するよう処理することを特徴とする。
【００１１】
第４の発明に係る映像信号出力装置は、表示部で表示するための出力映像信号を生成する映像信号出力装置であって、入力された同期信号に基づいて、第３の所定周期を有する第３の波形信号と、前記第３の波形信号とは異なる第４の所定周期を有する第４の波形信号とを出力する波形発生部と、前記第３の波形信号に基づいて、入力画像信号に対してその画面上での表示位置を水平方向に移動させる処理を行って出力する画像水平移動信号処理部と、前記第４の波形信号に基づいて、入力画像信号に対してその画面上での表示位置を垂直方向に移動させる処理を行って出力する画像垂直移動信号処理部と、を備えたことを特徴とする。
【００１２】
第５の発明に係る映像信号出力装置では、上記第４の発明に係る映像信号出力装置において、前記第３の波形信号の周期を１としたとき、前記第４の波形信号の周期が非整数であることを特徴とする。
【００１３】
第６の発明に係る映像信号出力装置では、前記第３の波形信号の周期と前記第４の波形信号の周期との比がＮ：Ｎ＋１（Ｎは整数）であることを特徴とする。
【発明の効果】
【００１４】
本発明に係る映像信号出力装置によれば、焼付き低減のための画像移動において、焼付きを適切に分散させて目立ちにくくすることによって、焼付きによるディスプレイの寿命低下を抑制できる。
【発明を実施するための最良の形態】
【００１５】
以下、本発明に係る実施形態について図面を参照して説明する。なお、以下の各実施形態において、同様の構成要素については同一の符号を付している。
【００１６】
≪実施形態１≫
図１は、本発明の実施形態１に係るディスプレイ装置２０の構成を示すブロック図である。本実施形態に係るディスプレイ装置２０は、互いに異なる周期を有する２つの波形の合成波形に基づいて入力画像信号ＰＳＩＮにより表示される画像をＥＬディスプレイ５の画面上で周期的に僅かに水平移動させることにより、焼付きを分散させて目立ちにくくすることを目的とする。
【００１７】
図１において、ディスプレイ装置２０は、画像移動信号処理部１と、第１及び第２の波形発生部３及び４と、ＥＬ（エレクトロ・ルミネッセンス）ディスプレイ５とを備える。ディスプレイ装置２０には、入力画像信号ＰＳＩＮ及び同期信号ＳＳが入力される。図１において、ディスプレイ装置２０は、表示装置としてＥＬディスプレイ５を備えているが、これに代えてＰＤＰ（プラズマ・ディスプレイ・パネル）を備えていてもよい。また、画像移動信号処理部１と第１及び第２の波形発生部３及び４とは、表示装置であるＥＬディスプレイ５で表示するための出力映像信号ＰＳＯＵＴを生成する映像信号出力装置を構成する。
【００１８】
第１の波形発生部３は、外部から入力した同期信号ＳＳに基づいて第１の所定周期を有する三角波である制御信号ＣＳ１を発生して出力する。一方、第２の波形発生部４は、外部から入力した同期信号ＳＳに基づいて制御信号ＣＳ１とは異なる第２の所定周期を有する別の三角波を発生し、その三角波と第１の波形発生部３から入力した制御信号ＣＳ１とを合成した合成波形信号を制御信号ＣＳ２として出力する。
【００１９】
画像移動信号処理部１は、外部から入力した入力画像信号ＰＳＩＮを、第２の波形発生部４から入力した制御信号ＣＳ２に基づいてＥＬディスプレイ５での表示位置を水平移動させた後、出力画像信号ＰＳＯＵＴとしてＥＬディスプレイ５に出力する。この水平移動は、人間の目で識別できる所定のレベルよりも小さい、例えば１／６４画素を１ステップとして行われ、水平移動の範囲は、例えば±５画素（±３２０ステップ）とする。
【００２０】
図２は、図１の第１の波形発生部３の詳細構成を示すブロック図である。第１の波形発生部３は、分周器１０と、アップダウンカウンタ１１と、減算器１２と、加算器１３と、ゼロ信号発生器１４とを備える。
【００２１】
分周器１０は、外部から入力した同期信号ＳＳを第１の所定分周比で分周して、所定期間毎に第１の基準パルスを生成して出力する。分周器１０は、例えば１／６０秒周期の同期信号ＳＳを２４００分周し、４０秒に１回、即ち４０秒周期の第１の基準パルスを出力する。減算器１２は、ゼロ信号発生器１４から出力されるゼロ信号から定数Ｋを減算して出力する。減算器１２の出力は、最小値としてアップダウンカウンタ１１に与えられる。加算器１３は、ゼロ信号発生器１４から出力されるゼロ信号に定数Ｋを加算して出力する。加算器１３の出力は、最大値としてアップダウンカウンタ１１に与えられる。本実施形態では、定数Ｋを６４とする。即ち、アップダウンカウンタ１１には、最小値−６４と最大値６４とが与えられる。
【００２２】
アップダウンカウンタ１１は、初期値を０として、分周器１０が出力する第１の基準パルス毎に、与えられた最小値及び最大値によって決定される範囲で１ずつカウントを増減させ、カウント値に対応する信号レベルを有する制御信号ＣＳ１を出力する。アップダウンカウンタ１１は、第１の基準パルス毎にカウントを１ずつ増加させ、カウント値が加算器１３から入力される最大値と一致すると、第１の基準パルス毎にカウントを１ずつ減少させ、カウント値が減算器１２から入力される最小値と一致すると、再度第１の基準パルス毎にカウントを１ずつ加算する動作を繰り返す。従って、アップダウンカウンタ１１から出力される制御信号ＣＳ１は、ゼロを中心に−６４ステップ（即ち、−１画素）から＋６４ステップ（即ち、＋１画素）までの範囲内で４０秒に１ステップずつ増減を繰り返す、１０２４０秒周期のゆっくりとした変化の三角波となる。
【００２３】
図３は、図１の第２の波形発生部４の詳細構成を示すブロック図である。第２の波形発生部４は、分周器１５と、アップダウンカウンタ１６と、減算器１７と、加算器１８とを備える。
【００２４】
分周器１５は、外部から入力した同期信号ＳＳを第２の所定分周比で分周して、所定期間毎に第２の基準パルスを生成して出力する。分周器１５は、例えば１／６０秒周期の同期信号ＳＳを６０分周し、１秒に１回、即ち１秒周期の第２の基準パルスを生成して出力する。減算器１７は、第１の波形発生部３からの制御信号ＣＳ１から定数Ｌを減算して出力する。減算器１７の出力は、最小値としてアップダウンカウンタ１６に与えられる。加算器１８は、第１の波形発生部３からの制御信号ＣＳ１に定数Ｌを加算して出力する。加算器１８の出力は、最大値としてアップダウンカウンタ１６に与えられる。本実施形態では、定数Ｌを３２０とする。
【００２５】
アップダウンカウンタ１６は、初期値を０として、分周器１５が出力する第２の基準パルス毎に、与えられた最小値及び最大値によって決定される範囲で１ずつカウントを増減させ、カウント値に対応する信号レベルを有する制御信号ＣＳ２を出力する。アップダウンカウンタ１６は、第２の基準パルス毎にカウントを１ずつ増加させ、カウント値が加算器１８から入力される最大値と一致すると、第２の基準パルス毎にカウントを１ずつ減少させ、カウント値が減算器１７から入力される最小値と一致すると、再度第２の基準パルス毎にカウントを１ずつ増加させる動作を繰り返す。従って、アップダウンカウンタ１６から出力される制御信号ＣＳ２は、第１の波形発生部３が出力する制御信号ＣＳ１の信号レベルの増減に伴ってその中心値を変化させながら、その中心値から−３２０ステップ（−５画素）の値から、その中心値から＋３２０ステップ（＋５画素）までの範囲内で第２の基準パルス毎に１ステップずつカウントの増減を繰り返す、２つの異なる周期を有する三角波の合成波形信号となる。したがって、制御信号ＣＳ２は、制御信号ＣＳ１と、制御信号ＣＳ１の振幅を５倍、周期を１／８にした波形との合成波形信号となり、後述する図４（ｂ）に示すような、左右にそれぞれ５画素分、１２８０秒間掛けて水平移動しながら、この水平移動の中心がさらに左右にそれぞれ１画素分、１０２４０秒間掛けて移動するような合成波形信号となる。画像移動信号処理部１は、入力画像信号ＰＳＩＮを第２の波形発生部４からの制御信号ＣＳ２に基づいて水平移動する。なお、画像移動信号処理部１は、制御信号ＣＳ２が０のとき、入力画像信号ＰＳＩＮを移動させず、制御信号ＣＳ２が正の数であるとき、入力画像信号ＰＳＩＮを右に移動させ、制御信号ＣＳ２が負の数であるとき、入力画像信号ＰＳＩＮを左に移動させる。
【００２６】
図４は、本実施形態に係るディスプレイ装置２０における（ａ）入力画像信号ＰＳＩＮ、（ｂ）移動量、及び（ｃ）入力画像信号を移動表示した場合の焼付きの度合いを示す図である。入力画像信号ＰＳＩＮが、例えば、黒い背景に幅１画素の白い縦線を表示させるような画像信号であるとすると、ＥＬディスプレイ５（図１）上に表示される入力画像信号ＰＳＩＮは、図４の（ｂ）のように水平に左右それぞれ５画素の範囲で移動しながら、この水平移動の中心が左右にそれぞれ１画素分移動するように移動表示される。これにより、焼付きが１０画素±１画素の範囲に分散し平坦化されるだけでなく、図４の（ｃ）に示すように、移動範囲の境界において焼付きのレベルの変化が緩やかとなり、目立ちにくい。
【００２７】
以上の構成により、本実施形態に係るディスプレイ装置２０によれば、入力画像信号ＰＳＩＮを人間の目に識別できない程度に小さいステップにおいて一定の速度で移動させることで焼付きを緩和するとともに、移動範囲の境界において焼付きのレベルの変化を緩やかにすることで移動範囲の境界付近での視覚的な違和感を抑えることができ、焼付きが検知されにくい。その結果、焼付きによるディスプレイの寿命低下を抑制できる。
【００２８】
なお、本実施形態では、入力画像信号ＰＳＩＮを、水平方向にのみ移動させるような構成であった。しかし、本発明はその構成に限らず、水平方向に代えて垂直方向に移動させるような構成であってもよい。また、水平方向及び垂直方向の両方に移動させるような構成であってもよい。
【００２９】
また、第１及び第２の波形発生部３及び４とも三角波の出力信号を出力した。しかし、第２の波形発生部４の出力信号である制御信号ＣＳ２は移動を定速とするため三角波であることが好ましいが、第１の波形発生部３の出力信号である制御信号ＣＳ１は、例えば正弦波信号等の他の信号であってもよい。
【００３０】
また、本実施形態において、画像移動信号処理部１は、入力画像信号ＰＳＩＮに対して画素単位で水平移動を行った。しかし、本発明はこの構成に限らず、入力画像信号ＰＳＩＮに対して位相に応じた補間処理を行い、画素単位より小さい位相単位で入力画像信号ＰＳＩＮを移動させてもよく、この場合、より目立ちにくい移動となる。
【００３１】
≪実施形態２≫
図５は、本発明の第２の実施形態によるディスプレイ装置２０Ａの構成を示すブロック図である。図５において、ディスプレイ装置２０Ａは、画像水平移動信号処理部６と、画像垂直移動信号処理部７と、第３の波形発生部８と、第４の波形発生部９と、ＥＬディスプレイ５とを備える。図５において、ディスプレイ装置２０Ａは、表示装置としてＥＬディスプレイ５を備えているが、これに代えてＰＤＰ（プラズマ・ディスプレイ・パネル）を備えていてもよい。また、画像水平移動信号処理部６と、画像垂直移動信号処理部７と、第３及び第４の波形発生部８及び９とは、表示装置であるＥＬディスプレイ５で表示するための出力映像信号ＰＳＯＵＴを生成する映像信号出力装置を構成する。
【００３２】
第３の波形発生部８は、外部から入力した同期信号ＳＳに基づいて第３の所定周期を有する三角波である水平制御信号ＣＳ３を発生して出力する。第４の波形発生部９は、外部から入力した同期信号ＳＳに基づいて水平制御信号ＣＳ３とは異なる第４の所定周期を有する三角波である垂直制御信号ＣＳ４を発生して出力する。第３及び第４の波形発生部８及び９の構成は、図２に示した実施形態１における第２の波形発生部４の構成と同様であるため、詳細な説明は省略する。但し、第３の波形発生部８と第４の波形発生部９との間では、各分周器の分周比、各アップダウンカウンタに与えられる最小値及び最大値、各アップダウンカウンタの基準パルス毎のカウントの増加量のいずれか１つは異なる値となるように設定されている。本実施形態の例では、第３の波形発生部８の分周器の分周比を６０、アップダウンカウンタに与えられる最小値を−３２０、最大値を３２０、第３の波形発生部８の分周器の分周比を９０、アップダウンカウンタに与えられる最小値を−３２０、最大値を３２０とする。また、いずれのアップダウンカウンタにおいても、アップダウンカウンタの基準パルス毎のカウントの増加量を１とする。
【００３３】
画像水平移動信号処理部６は、画像水平移動信号処理部６に入力される第３の波形発生部８からの水平制御信号ＣＳ３を受けて入力画像信号ＰＳＩＮを画面上での表示位置を水平方向に移動する処理を行う。画像垂直移動信号処理部７は、画像垂直移動信号処理部７に入力される第４の波形発生部９からの垂直制御信号ＣＳ４を受けて画像水平移動信号処理部６によって水平方向に移動された入力画像信号ＰＳＩＮを画面上での表示位置を垂直方向に移動する処理を行う。画像垂直移動信号処理部７によって垂直方向に移動された入力画像信号ＰＳＩＮは、出力映像信号ＰＳＯＵＴとしてＥＬディスプレイ５に出力されて水平方向及び垂直方向に移動された表示をする。画像水平移動信号処理部６及び画像垂直移動信号処理部７は、画素単位での移動に加え、位相に応じた補間処理を行うことにより入力画像信号ＰＳＩＮを１画素以下で移動させることができる。入力画像信号ＰＳＩＮの表示位置を、表示時間経過に応じて一定レベル以下の細かいステップで移動することにより、人間の目に識別できないようＥＬディスプレイ５上で移動することが可能である。
【００３４】
図６は、図５のディスプレイ装置２０Ａにおける入力画像信号ＰＳＩＮに対する（ａ）平面移動、（ｂ）水平方向の移動量の変化、（ｃ）垂直方向の移動量の変化を示す図である。図６（ｂ）に示す変化は第３の波形発生部８が出力する水平制御信号ＣＳ３に対応し、図６（ｃ）に示す変化は第４の波形発生部９が出力する垂直制御信号ＣＳ４に対応する。移動は、人間の目に識別できない１／６４画素を１ステップとして行われ、水平移動範囲及び垂直移動範囲は、±５画素（±３２０ステップ）とする。
【００３５】
第３の波形発生部８は、外部から入力した同期信号ＳＳを第３の所定分周比で分周して、所定期間毎に第３の基準パルスを生成して出力する。第３の波形発生部８は、例えば、外部から入力した１／６０秒周期の垂直同期信号ＳＳを６０分周し、１秒に１回、即ち１秒周期の第３の基準パルスを生成して出力する。また、第３の波形発生部８は、第３の基準パルス毎に、与えられた最小値及び最大値によって定まる所定範囲内で１ステップずつ増減する三角波である水平制御信号ＣＳ３を出力する。第３の波形発生部８は、例えば、初期値を０として、第３の基準パルス毎にカウントを１ずつ増加し、カウント値が３２０と一致すると、第３の基準パルス毎にカウントを１ずつ減少させ、カウント値が−３２０と一致すると、再度第３の基準パルス毎にカウントを１ずつ増加させる動作を繰り返す。このときの水平制御信号ＣＳ３は、図６の（ｂ）に示すような、１２８０秒周期の三角波となる。
【００３６】
第４の波形発生部９は、外部から入力した同期信号ＳＳを第４の所定分周比で分周して、所定期間毎に第４の基準パルスを生成して出力する。第４の波形発生部９は、例えば、外部から入力した前記１／６０秒周期の垂直同期信号ＳＳを９０分周し、１．５秒に１回、即ち１．５秒周期の第４の基準パルスを生成して出力する。また、第４の波形発生部９は、第４の基準パルス毎に、与えられた最小値及び最大値によって定まる所定範囲内で１ステップずつ増減する三角波である垂直制御信号ＣＳ４を出力する。第４の波形発生部９は、例えば、初期値を０として、第４の基準パルス毎にカウントを１ずつ増加し、カウント値が３２０と一致すると、第４の基準パルス毎にカウントを１ずつ減少させ、カウント値が−３２０と一致すると、再度第４の基準パルス毎にカウントを１ずつ増加させる動作を繰り返す。このときの垂直制御信号ＣＳ４は、図６の（ｃ）に示すような、１９２０秒周期の三角波となる。
【００３７】
画像水平移動信号処理部６は、入力画像信号ＰＳＩＮの波形の水平軸上の位置を第３の波形発生部８からの水平制御信号ＣＳ３に基づいて水平移動する。画像水平移動信号処理部６は、水平制御信号ＣＳ３が０のとき、入力画像信号ＰＳＩＮを移動させず、水平制御信号ＣＳ３が正の数であるとき、入力画像信号ＰＳＩＮの波形の水平軸上の位置を右に移動させ、水平制御信号ＣＳ３が負の数であるとき、入力画像信号ＰＳＩＮの波形の水平軸上の位置を左に移動させる。同様に、画像垂直移動信号処理部７は、入力画像信号ＰＳＩＮの波形の垂直軸上の位置を第４の波形発生部９からの垂直制御信号ＣＳ４に基づいて垂直移動する。画像垂直移動信号処理部７は、垂直制御信号ＣＳ４が０のとき、画像水平移動信号処理部６が水平移動させた入力画像信号ＰＳＩＮを移動させず、垂直制御信号ＣＳ４が正の数であるとき、画像水平移動信号処理部６が水平移動させた入力画像信号ＰＳＩＮの波形の垂直軸上の位置を上に移動させ、垂直制御信号ＣＳ４が負の数であるとき、画像水平移動信号処理部６が水平移動させた入力画像信号ＰＳＩＮの波形の垂直軸上の位置を下に移動させる。
【００３８】
上記の第３の波形発生部８及び第４の波形発生部９の構成において、水平制御信号ＣＳ３の周期及び垂直制御信号ＣＳ４の周期の比は１：１．５であり、このように水平制御信号ＣＳ３の周期を１としたときの垂直制御信号ＣＳ４の周期が非整数となるように設定することで、平面的に同一位置を移動しにくく入力画像信号ＰＳＩＮを均一に移動させることができる。また、水平制御信号ＣＳ３の周期及び垂直制御信号ＣＳ４の周期のいずれか一方が他方よりも著しく大きい場合（例えば１：１０等）、比較的短い一定時間で（例えば１時間等で）リセットがかかるようなシステムにおいては、水平方向は移動範囲全体を移動するが、垂直方向は移動範囲の中央部分のみ移動するというような問題が発生する。上記の第３の波形発生部８及び第４の波形発生部９の構成において、水平制御信号ＣＳ３の周期及び垂直制御信号ＣＳ４の周期の比は１：１．５、即ち２：３であり、好ましくは、このように水平制御信号ＣＳ３の周期及び垂直制御信号ＣＳ４の周期の比が、Ｎ：Ｎ＋１（Ｎは正の整数である。）となるように設定することで、水平方向にも垂直方向にも偏りなく入力画像信号ＰＳＩＮを均一に移動させることができる。
【００３９】
以上の構成により、本実施形態に係るディスプレイ装置２０Ａによれば、簡易な構成で、入力画像信号ＰＳＩＮを人間の目に識別できない程度の微細なステップで一定の速度で水平及び垂直方向に常に移動させることで、焼付きを平面内でほぼ均等に分散させることができ、焼付きが検知されにくい。その結果、焼付きによるディスプレイの寿命低下を抑制できる。
【００４０】
なお、本実施形態において、水平移動の周期及び垂直移動の周期に関して、後者を大きく設定した。しかし、本発明はこの構成に限らず、水平移動の周期を大きく設定してもよいことは言うまでもない。
【産業上の利用可能性】
【００４１】
本発明に係るディスプレイ装置は、例えばＥＬ（エレクトロ・ルミネッセンス）ディスプレイ、ＰＤＰ（プラズマ・ディスプレイ・パネル）等の映像信号出力装置として利用できる。
【図面の簡単な説明】
【００４２】
【図１】本発明の実施形態１に係るディスプレイ装置２０の構成を示すブロック図である。
【図２】図１の第１の波形発生部３の詳細構成を示すブロック図である。
【図３】図１の第２の波形発生部４の詳細構成を示すブロック図である。
【図４】（ａ）本発明の実施形態１に係るディスプレイ装置２０における入力画像信号を示す波形図である。（ｂ）本発明の実施形態１に係るディスプレイ装置２０における入力画像信号に対する移動量を示す波形図である。（ｃ）本発明の実施形態１に係るディスプレイ装置２０におけるディスプレイの焼付きの度合いを示す概念図である。
【図５】本発明の実施形態２に係るディスプレイ装置２０Ａの構成を示すブロック図である。
【図６】（ａ）本発明の実施形態２に係るディスプレイ装置２０Ａにおける入力画像信号に対する平面移動を示す図である。（ｂ）本発明の実施形態２に係るディスプレイ装置２０Ａにおける入力画像信号に対する水平方向の移動量の変化を示す図である。（ｃ）本発明の実施形態２に係るディスプレイ装置２０Ａにおける入力画像信号に対する垂直方向の移動量の変化を示す図である。
【符号の説明】
【００４３】
１…画像移動信号処理部、
３，４，８，９…波形発生部、
５…ＥＬディスプレイ、
６…画像水平移動信号処理部、
７…画像垂直移動信号処理部、
１０，１５…分周器、
１１，１６…アップダウンカウンタ、
１２，１７…減算器、
１３，１８…加算器、
１４…ゼロ信号発生器、
２０，２０Ａ…ディスプレイ装置。
【図１】
2007298863.tif 000003
【図２】
2007298863.tif 000004
【図３】
2007298863.tif 000005
【図４】
2007298863.tif 000006
【図５】
2007298863.tif 000007
【図６】
2007298863.tif 000008